(57)【要約】【課題】スイッチング負荷に動作電力を供給する電源装置に関し、電源装置と並列的に接続された照明機器のフリッカを防止する。【解決手段】スイッチング負荷２０に電力を供給する電源装置１であって、交流電圧を整流する整流回路２と、この整流回路２の整流出力電圧をスイッチング制御により第１のコンデンサＣ１に充電する第１のブーストコンバータ６と、整流回路２の整流出力電圧をスイッチング制御により第２のコンデンサＣ２に充電する第２のブーストコンバータ３と、第１のコンデンサＣ１の充電電圧をスイッチング負荷２０に供給する直流電圧となるように制御するＤＣ／ＤＣコンバータ５とを含み、第２のブーストコンバータ３は、スイッチング負荷２０の動作オフ期間に第２のコンデンサＣ２を充電した充電電荷を、スイッチング負荷２０の動作オン期間にＤＣ／ＤＣコンバータ５に入力する放電回路を備えている。【選択図】図１
2008199731.tif 000002
【特許請求の範囲】
【請求項１】
スイッチング負荷に電力を供給する電源装置に於いて、
交流電圧を整流する整流回路と、
該整流回路の整流出力電圧を昇圧して第１のコンデンサを充電する第１のブーストコンバータと、
前記整流回路の整流出力電圧を昇圧して第２のコンデンサを充電する第２のブーストコンバータと、
前記第１のコンデンサの充電電圧を前記スイッチング負荷に供給する直流電圧となるように制御するＤＣ／ＤＣコンバータとを含み、
前記第２のブーストコンバータは、前記スイッチング負荷のスイッチング動作に同期して、前記スイッチング負荷の動作オフ期間に前記第２のコンデンサを充電した充電電荷を、前記スイッチング負荷の動作オン期間に前記ＤＣ／ＤＣコンバータに入力する放電回路を備えた
ことを特徴とする電源装置。
【請求項２】
前記第２のブーストコンバータは、前記スイッチング負荷の動作オフの情報により前記第２のコンデンサの充電電流を制御し、前記スイッチング負荷の動作オンの情報により前記第２のコンデンサの充電を停止する駆動回路と、前記スイッチング負荷の動作オンの情報により前記第２のコンデンサの充電電荷を前記ＤＣ／ＤＣコンバータに印加し、前記スイッチング負荷の動作オフの情報により前記コンデンサの放電動作を停止する制御を行う放電回路とを備えたことを特徴とする請求項１記載の電源装置。
【請求項３】
前記整流回路の整流出力電圧を入力する前記第１のブーストコンバータと、該第１のブーストコンバータの出力電圧を入力する前記第２のブーストコンバータと、前記第１のコンデンサと前記第２のコンデンサの充電電荷を入力するＤＣ／ＤＣコンバータとを含む構成を備えたことを特徴とする請求項１記載の電源装置。
【請求項４】
スイッチング負荷に電力を供給する電源装置に於いて、
交流電圧を整流する整流回路と、
該整流回路の整流出力電圧をスイッチングトランジスタのオン、オフ制御により昇圧してコンデンサを充電するブーストコンバータと、
前記コンデンサの充電電圧を前記スイッチング負荷に供給する直流電圧となるように制御するＤＣ／ＤＣコンバータとを含み、
前記ブーストコンバータは、前記スイッチング負荷の動作オンの情報により、出力基準電圧を順次低下させ、動作オフの情報により、出力基準電圧を順次上昇させる基準電圧出力部と、該基準電圧出力部の出力基準電圧と前記コンデンサの端子電圧を検出した検出電圧とを比較する比較器と、該比較器の比較出力信号と前記ＤＣ／ＤＣコンバータを介して前記スイッチング負荷に供給する電流を検出した検出電流値とを入力する誤差増幅器と、該誤差増幅器の出力信号に従って前記スイッチングトランジスタのオン期間を制御する駆動回路とを備えている
ことを特徴とする電源装置。
【発明の詳細な説明】
【技術分野】
【０００１】
本発明は、間欠的に大電流を必要とする負荷による電源電圧変動を抑圧するスイッチング制御手段を含む電源装置に関する。
【背景技術】
【０００２】
商用交流電源から電力を供給する配電線には、照明機器と共に各種の機器が接続されている。この各種の機器に於いては、断続的に大きな電流が流れる特性の機器も含まれる。例えば、図８に示すように、配電線に、断続する比較的大きな電流を必要とするスイッチング負荷１０１と、電球や蛍光灯等の照明機器１０２とが接続され、スイッチング負荷１０１がＯＮ，ＯＦＦ動作を繰り返すと、配電線に流れる電流もそれに対応して変動するから、配電線のインピーダンスによる電圧降下が変動する。それにより、照明機器１０２に対する印加電圧も変動する。スイッチング負荷１０１として、例えば、ページプリンタは、転写，定着時に、大きな電力を必要とし、この状態が紙送り毎に行われ、プリント速度に対応した周期で、電流のオン，オフが繰り返される。
【０００３】
図９は、３相交流電圧を全波整流した前述のスイッチング負荷１０１に対して入力電圧と、全波整流前の交流電源側の電流と、スイッチング負荷１０１の休止及び動作の状態とを示し、スイッチング負荷１０１の動作状態に於ける交流入力電流は、全波整流電圧が所定値以上のタイミングに於いて流れることになり、又休止状態に於ける交流入力電流は殆ど零となる。従って、スイッチング負荷１０１及び照明機器１０２の入力電圧は、スイッチング負荷１０１の休止状態に於いて上昇する。このような電圧変動が、スイッチング負荷１０１の動作と休止との繰り返しにより発生し、蛍光灯等の照明機器１０２に対する入力電圧の変動により、照明のちらつき（フリッカ）が発生する。
【０００４】
この照明のちらつきに対する規制が行われようとしている。例えば、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ；国際電気標準会議）１０００−３−３及びＩＥＣ１０００−３−１１によるフリッカ規格が知られている。
【０００５】
又プリンタ装置は、複写したトナー像を用紙に転写して加熱により定着させる構成が一般的であり、その場合の定着処理をフラッシュランプの発光による熱によって行う構成も知られている。その場合のフラッシュランプは放電発光するものであり、そのフラッシュランプの放電電流を、予め充電しているコンデンサから供給する構成が適用されている。その場合のコンデンサに対して、直流電圧で充電する為の電源装置が必要であり、商用交流電源からの交流電圧を整流し、所定値の直流電圧となるようにスイッチング制御して、コンデンサを充電する構成が知られている（例えば、特許文献１参照）。
【０００６】
又スイッチング負荷にコンデンサの充電電圧を印加し、そのコンデンサを電源装置から充電する場合、スイッチング負荷の休止期間ではコンデンサの放電が行われないので、電源装置から供給する電流は僅かなものとなり、又スイッチング負荷の動作期間では、コンデンサの放電が周期的に行われることになり、電源装置からコンデンサの充電電流が供給される。その為に、前述の図９に示すように、スイッチング負荷の休止期間と動作期間とに於ける入力電圧の変動が発生し、同一の交流電源に接続されている照明機器のちらつき発生原因となるから、スイッチング負荷の休止期間にも電源装置に交流電源からの電流が流れる制御構成を設けることにより、交流電源側の電圧変動を抑制する手段が提案された（例えば、特許文献２参照）。
【特許文献１】特開２００４−１２９３４５号公報
【特許文献２】特開２００５−２６１０６１号公報
【発明の開示】
【発明が解決しようとする課題】
【０００７】
商用交流電源に接続された配電線は、単相１００Ｖ又は２００Ｖ、単相３線式１００Ｖ又は２００Ｖ、３相３線式２００Ｖ等の各種の構成が適用されており、又配電線に接続される機器の種類や特性はそれぞれ異なる場合が多いものである。その場合、照明機器は、点灯時は一定負荷と見做すことができるものであるが、他の機器は、変動負荷の場合が多いものである。特に、前述の図８に示すようなスイッチング負荷１０１の場合、負荷電流が断続的に変化し、その変化に対応して配電線のインピーダンスにより電圧が変化する。従って、配電線に接続された照明機器１０２に対する印加電圧が変動してフリッカが発生する問題がある。
【０００８】
この配電線のインピーダンスを無視できる程度の小さい値とすれば、電流変動による電圧変動を低減できるが、その為には、直径の大きい配電線を用い、且つ大容量のトランスを設ける必要がある。従って、経済的にも配置スペース的にも現実的な解決手段ではない。又出力電圧を一定に維持できるスイッチング電源装置は、交流電源（配電線）側の電圧変動を抑圧する構成は備えていないのが一般的である。又前述の特許文献２による技術は、スイッチング負荷による交流電源側の電圧変動を、スイッチング負荷の休止期間に、第２のコンデンサに充電電流が流れる構成として抑制するものである。しかし、スイッチング負荷は、既に各種の構成が実用化されており、種別対応に印加電圧も相違する場合が一般的である。その為に、スイッチング負荷に印加する為の電圧に対応した構成のスイッチング電源装置を用意する必要があり、多品種生産によるコストアップとなる問題がある。
【０００９】
本発明は、スイッチング負荷に動作電力を供給し、且つ負荷電流の変動による照明機器のフリッカを防止することを目的とする。
【課題を解決するための手段】
【００１０】
本発明の電源装置は、スイッチング負荷に電力を供給する電源装置であって、交流電圧を整流する整流回路と、この整流回路の整流出力電圧を昇圧して第１のコンデンサに充電する第１のブーストコンバータと、前記整流回路の整流出力電圧を昇圧して第２のコンデンサに充電する第２のブーストコンバータと、前記第１のコンデンサの充電電圧を前記スイッチング負荷に供給する直流電圧となるように制御するＤＣ／ＤＣコンバータとを含み、前記第２のブーストコンバータは、前記スイッチング負荷のスイッチング動作に同期して、前記スイッチング負荷の動作オフ期間に前記第２のコンデンサを充電した充電電荷を、前記スイッチング負荷の動作オン期間に前記ＤＣ／ＤＣコンバータに入力する放電回路を備えている。
【００１１】
又前記第２のブーストコンバータは、前記スイッチング負荷の動作オフの情報により前記第２のコンデンサの充電電流を制御し、前記スイッチング負荷の動作オンの情報により前記第２のコンデンサの充電を停止する駆動回路と、前記スイッチング負荷の動作オンの情報により前記第２のコンデンサの充電電荷を前記ＤＣ／ＤＣコンバータに印加し、前記スイッチング負荷機器の動作オフの情報により前記コンデンサの放電動作を停止する制御を行う放電回路とを備えている。
【００１２】
又前記整流回路の整流出力電圧を入力する前記第１のブーストコンバータと、該第１のブーストコンバータの出力電圧を入力する前記第２のブーストコンバータと、前記第１のコンデンサと前記第２のコンデンサの充電電荷を入力するＤＣ／ＤＣコンバータとを含む構成を備えている。
【００１３】
又スイッチング負荷に電力を供給する電源装置に於いて、交流電圧を整流する整流回路と、該整流回路の整流出力電圧をスイッチングトランジスタのオン、オフ制御により昇圧してコンデンサを充電するブーストコンバータと、前記コンデンサの充電電圧を前記スイッチング負荷に供給する直流電圧となるように制御するＤＣ／ＤＣコンバータとを含み、前記ブーストコンバータは、前記スイッチング負荷の動作オンの情報により、出力基準電圧を順次低下させ、動作オフの情報により、出力基準電圧を順次上昇させる基準電圧出力部と、該基準電圧出力部の出力基準電圧と前記コンデンサの端子電圧を検出した検出電圧とを比較する比較器と、該比較器の比較出力信号と前記ＤＣ／ＤＣコンバータを介して前記スイッチング負荷に供給する電流を検出した検出電流値とを入力する誤差増幅器と、該誤差増幅器の出力信号に従って前記スイッチングトランジスタのオン期間を制御する駆動回路とを備えている。
【発明の効果】
【００１４】
第１及び第２のブーストコンバータは、それぞれスイッチング制御により、設定した所望の電圧を出力できるものであり、従って、スイッチング負荷の種別対応の所望の電圧でコンデンサを充電することができる。又第１のブーストコンバータにより第１のコンデンサを充電して、その充電電荷をスイッチング負荷に供給し、スイッチング負荷の休止期間に、第２のブーストコンバータにより第２のコンデンサを充電することにより、交流電源からの電流を継続して流れるようにし、且つ、第２のコンデンサの充電電荷を、第１のコンデンサの充電電荷と共に、動作期間のスイッチング負荷に供給し、交流電源から供給される電流の変化を少なくして、電圧変動を抑制し、それにより、照明機器のフリッカを防止することができる。
【発明を実施するための最良の形態】
【００１５】
本発明の電源装置は、図１を参照すると、スイッチング負荷２０に電力を供給する電源装置１であって、交流電圧を整流する整流回路２と、この整流回路２の整流出力電圧を昇圧して第１のコンデンサＣ１に充電する第１のブーストコンバータ６と、整流回路２の整流出力電圧を昇圧して第２のコンデンサＣ２に充電する第２のブーストコンバータ３と、第１のコンデンサＣ１の充電電圧をスイッチング負荷２０に供給する直流電圧となるように制御するＤＣ／ＤＣコンバータ５とを含み、第２のブーストコンバータ３は、スイッチング負荷２０のスイッチング動作に同期して、スイッチング負荷２０の動作オフ期間に第２のコンデンサＣ２を充電した充電電荷を、スイッチング負荷２０の動作オン期間にＤＣ／ＤＣコンバータ５に入力する放電回路を備えている。
【実施例１】
【００１６】
本発明の実施例１の要部説明図であり、配電線を３相３線式とした場合を示し、１は電源装置、２は整流回路、３は第２のブーストコンバータ、４は放電回路、５はＤＣ／ＤＣコンバータ、６は第１のブーストコンバータ、Ｃ１，Ｃ２は第１及び第２のコンデンサ、Ｑ１、Ｑ２はトランジスタ、Ｒは抵抗を示し、第１のブーストコンバータ６と第２のブーストコンバータ３とは、下側の枠内に示すように、チョークコイルＬ１と、ダイオードＤ１と、トランジスタＱ１とを含む構成を有し、図示を省略した制御手段により、トランジスタＱ１のオン、オフ動作が制御される。
【００１７】
整流回路２により、三相２００Ｖの交流電圧を全波整流して、第１のブーストコンバータ６と、第２のブーストコンバータ３とに供給し、第１のブーストコンバータ６により所望の出力電圧を第１のコンデンサＣ１に印加して充電し、その第１のコンデンサＣ１の充電電圧をＤＣ／ＤＣコンバータ５に入力し、ＤＣ／ＤＣコンバータ５に於けるスイッチング動作により、スイッチング負荷２０の種別対応により定まる所望の出力電圧を発生するもので、その出力電圧をスイッチング負荷２０に印加する。又第２のブーストコンバータ３は、スイッチング負荷２０の休止期間にスイッチング動作して、第２のコンデンサＣ２を充電し、この第２のコンデンサＣ２の充電電荷を、スイッチング負荷２０の動作期間に、トランジスタＱ２をオンとして、ＤＣ／ＤＣコンバータ５に供給する。従って、第１のブーストコンバータ６とＤＣ／ＤＣコンバータ５とは連続的にスイッチング制御を行って、スイッチング負荷２０に動作電力を供給するが、第２のブーストコンバータ３は、スイッチング負荷２０の休止期間に於いてスイッチング制御を行って、第２のコンデンサＣ２の充電を行うものである。
【００１８】
図２は、本発明の実施例１の動作説明図であり、電源装置１の整流回路２の三相全波整流出力電圧を入力電圧として示し、三相交流電圧側の電流を入力電流として示し、スイッチング負荷２０の休止期間と動作期間とを負荷として示している。スイッチング負荷２０の動作期間に於いては、三相交流電流は、スイッチング動作に対応して、主として、第１のコンデンサＣ１の充電電圧による電流が流れ、スイッチング負荷２０の休止期間に於いては、第２のブーストコンバータ３による第２のコンデンサＣ２の充電電流が流れるから、整流回路２に流れる三相交流電流は、休止期間に於いても流れることになり、三相交流電流は、ほぼ連続的に流れるものとなる。従って、三相交流電圧は、殆ど変動しないものとなり、照明機器が電源装置１と並列的に接続されている場合の照明のちらつきを防止することができる。
【００１９】
図３は、本発明の実施例１の説明図であり、図１と同一符号は同一部分を示し、７はＯＮ／ＯＦＦ制御部、８は電流検出部、９は基準電圧、１０は誤差増幅器、１１はＰＷＭ制御部、１２は駆動回路、１３は基準電圧、１４は比較器、１５，１６は抵抗、１７は電流フィードバック回路を示す。なお、第１のブーストコンバータ６は、第２のブーストコンバータ３と同様な構成とすることができるもので、その場合に、ＯＮ／ＯＦＦ制御部７から制御される構成を含まないものである。又商用交流電源からの三相２００Ｖの交流電圧を整流回路２により全波整流して、第１のブーストコンバータ６と第２のブーストコンバータ３とに入力し、第１のブーストコンバータ６により第１のコンデンサＣ１を充電し、第２のブーストコンバータ３により第２のコンデンサＣ２を充電する。但し、第１のブーストコンバータ６は、継続してスイッチング動作により所定の電圧を出力して第１のコンデンサＣ１を充電するものであるが、第２のブーストコンバータ３は、スイッチング負荷２０の休止期間に於いてスイッチング動作して、第２のコンデンサＣ２を充電する。又放電回路４は、第２のコンデンサＣ２の充電電荷を、トランジスタＱ２と抵抗１６とを介してＤＣ／ＤＣコンバータ５に、第１のコンデンサＣ１の充電電荷と共に入力する。その為に、スイッチング負荷２０の動作期間と休止期間とを示すｏｎ／ｏｆｆ制御信号を、ＯＮ／ＯＦＦ制御部７に入力する。
【００２０】
ＯＮ／ＯＦＦ制御部７は、第２のブーストコンバータ３と放電回路４との動作をｏｎ／ｏｆｆ制御信号に従って制御するもので、スイッチング負荷２０に負荷電流が流れる動作期間に、放電回路４の基準電圧１３を所定の値に制御し、比較器１４によりトランジスタＱ２のエミッタ電位と比較し、このエミッタ電位が基準電圧１３より低い時にトランジスタＱ２をオンとし、第２のコンデンサＣ２の充電電荷を、トランジスタＱ２と抵抗１６とを介してＤＣ／ＤＣコンバータ５に入力する。なお、基準電圧１３の電圧を零又はそれに近い値とすると、比較器１４からの比較出力は零となり、トランジスタＱ２はオフ状態となり、第２のコンデンサＣ２からＤＣ／ＤＣコンバータ５側への放電は停止する。
【００２１】
又電流フィードバック回路１７は、第１のブーストコンバータ６からＤＣ／ＤＣコンバータ５を介してスイッチング負荷２０に流れる電流を、電流検出部８により検出し、誤差増幅器１０により基準電圧９と比較し、その比較誤差分をＰＷＭ制御部１１に入力する。ＰＷＭ制御部１１は、駆動回路１２を介してトランジスタＱ１のオン期間を制御し、ダイオードＤ１を介して第２のコンデンサＣ２に流れる電流を、基準電圧９に対応した所定の値に制御する。従って、スイッチング負荷２０の休止期間に於いては、第２のコンデンサＣ２の充電を行うことにより、交流電源から電源装置１には、連続的に電流が流れることになる。なお、スイッチング負荷２０の休止期間は、ＯＮ／ＯＦＦ制御部７から駆動回路１２の動作停止が制御され、第２のコンデンサＣ２の充電動作は停止される。
【００２２】
第１のブーストコンバータ６と第２のブーストコンバータ３とは、第１のコンデンサＣ１と第２のコンデンサＣ２との耐圧等を考慮した出力電圧に設定し、ＤＣ／ＤＣコンバータ５により、スイッチング負荷２０で必要とする電圧となるように制御することにより、各種のスイッチング負荷２０に動作電圧を供給し、且つ交流電源側に流れる電流の変動を抑制し、照明機器のフリッカ発生を抑制することができる。
【実施例２】
【００２３】
図４は、本発明の実施例２の要部説明図であり、図１と同一符号は同一部分を示す。この実施例２は、第１のブーストコンバータ６から第１のコンデンサＣ１を充電する出力電圧を第２のブーストコンバータ３に入力し、スイッチング負荷２０の休止期間に、第２のブーストコンバータ３から第２のコンデンサＣ２の充電を行う場合を示す。この実施例２に於いては、スイッチング負荷２０の休止期間のみスイッチング制御を行う第２のブーストコンバータ３の構成を、前述の実施例１の構成に比較して簡単化できる。
【００２４】
図５は、本発明の実施例２の説明図であり、図３と同一符号は同一部分を示す。又第１のブーストコンバータ６は、第２のブーストコンバータ３と略同様な構成を有するものであるが、ＯＮ／ＯＦＦ制御部７から制御される構成を含まないものである。又スイッチング負荷２０のｏｎ／ｏｆｆ制御信号をＯＮ／ＯＦＦ制御部７に入力し、スイッチング負荷２０の休止期間に於いて、ＯＮ／ＯＦＦ制御部７から駆動回路１２の動作を開始させて、第２のコンデンサＣ２の充電を開始させ、且つ放電回路４の放電動作を停止させる。それにより、第１のブーストコンバータ６から第１のコンデンサＣ１の充電電流が減少しても、第２のコンデンサＣ２に対する充電電流が流れる。従って、交流電源側の電流変動は殆どなく、照明機器が電源装置１と並列的に配電線に接続されている場合の照明ちらつきを回避することができる。
【００２５】
又前述の実施例１及び実施例２に於ける整流回路２は、三相２００Ｖ交流電圧を全波整流する構成の場合を示すが、単相１００Ｖの交流電圧を整流する構成とすることも可能であり、又単相２００Ｖの交流電圧を整流する構成とすることも可能である。又スイッチング負荷２０は、放電発光による定着処理を行うプリンタのみでなく、動作期間と休止期間とを含む構成とすることも可能である。
【実施例３】
【００２６】
図６は、本発明の実施例３の説明図であり、図５と同一符号は同一部分を示し、２１はブーストコンバータ、２２は比較器、２３は基準電圧出力部、Ｒ１，Ｒ２は分圧用の抵抗を示す。ブーストコンバータ２１は、前述の第１のブーストコンバータ６に相当し、第１のコンデンサＣ１を充電し、この第１のコンデンサＣ１の端子電圧を、ＤＣ／ＤＣコンバータ５を介してスイッチング負荷２０に供給する。このスイッチング負荷２０のｏｎ／ｏｆｆ制御信号をＯＮ／ＯＦＦ制御部７に入力し、このＯＮ／ＯＦＦ制御部７から基準電圧出力部２３を制御して、比較器２２に入力する基準電圧を変更する。この基準電圧を、スイッチング負荷２０の動作オフ期間には徐々に上昇させ、動作オン期間には徐々に下降させる。
【００２７】
又第１のコンデンサＣ１の端子電圧を抵抗Ｒ１，Ｒ２により分圧した電圧を、ブーストコンバータ２１の出力電圧（コンデンサＣ１の端子電圧）を検出して比較器２２に入力する。この比較器２２の比較出力信号を誤差増幅器１０に入力し、ＤＣ／ＤＣコンバータ５を介してスイッチング負荷２０に供給する電流を電流検出部８により検出し、この検出電流値を誤差増幅器１０に入力する。誤差増幅器１０の出力信号をＰＷＭ制御部１１に入力して、駆動回路１２によるスイッチングトランジスタＱ１のオン期間を制御する。
【００２８】
スイッチング負荷２０の動作オフ期間にブーストコンバータ２１とＤＣ／ＤＣコンバータ５とを介して供給する電流は減少するものであるが、基準電圧出力部２３の出力基準電圧を上昇させることにより、スイッチングトランジスタＱ１のオン期間を長くすることができ、それにより、交流電源から整流回路２を介してコンデンサＣ１に流れる電流は上昇することになり、交流電源から供給を受ける電流の変化を抑制することができる。従って、電源装置１と並列的に照明器具が接続されている場合の照明のちらつきを防止することができる。又図３又は図５に示す実施例の構成に比較して簡単な構成により、交流電圧の変動抑制の作用を行うことができる。
【００２９】
図７は、動作説明図であり、（ａ）は基準電圧出力部２３の出力基準電圧、（ｂ）はスイッチング負荷２０に流れる電流、（ｃ）はブーストコンバータ２１の出力電圧を示す。即ち、スイッチング負荷２０の休止期間では、電流は（ｂ）に示すように零又はそれに近い値となり、動作期間では連続的に流れる。しかし、ブーストコンバータ２１の出力電圧は、（ｃ）に示すように、休止期間では上昇するから、それによるコンデンサＣ１への充電電流が増加し、動作期間では徐々に出力電圧が低下するが、ＤＣ／ＤＣコンバータ５により維持された所定の電圧をスイッチング負荷２０に供給することができる。
【図面の簡単な説明】
【００３０】
【図１】本発明の実施例１の要部説明図である。
【図２】本発明の実施例１の動作説明図である。
【図３】本発明の実施例１の説明図である。
【図４】本発明の実施例２の要部説明図である。
【図５】本発明の実施例２の説明図である。
【図６】本発明の実施例３の説明図である。
【図７】本発明の実施例３の動作説明図である。
【図８】従来例の説明図である。
【図９】従来例の動作説明図である。
【符号の説明】
【００３１】
１  電源装置
２  整流回路
３  第２のブーストコンバータ
４  放電回路
５  ＤＣ／ＤＣコンバータ
６  第１のブーストコンバータ
７  ＯＮ／ＯＦＦ制御部
８  電流検出部
９  基準電圧
１０  誤差増幅器
１１  ＰＷＭ制御部
１２  駆動回路
１３  基準電圧
１４  比較器
１５，１６  抵抗
１７  電流フィードバック回路
２０  スイッチング負荷
２１  ブーストコンバータ
２２  比較器
２３  基準電圧出力部
Ｃ１，Ｃ２  第１、第２のコンデンサ
Ｑ１，Ｑ２  トランジスタ
Ｄ１  ダイオード
Ｌ１  チョークコイル
【図１】
2008199731.tif 000003
【図２】
2008199731.tif 000004
【図３】
2008199731.tif 000005
【図４】
2008199731.tif 000006
【図５】
2008199731.tif 000007
【図６】
2008199731.tif 000008
【図７】
2008199731.tif 000009
【図８】
2008199731.tif 000010
【図９】
2008199731.tif 000011